【事件の表示】
　上記当事者間の登録第３３７１３２６号商標の商標登録無効審判事件について、次のとおり審決する。
【結　論】
　本件審判の請求は、成り立たない。
　審判費用は、請求人の負担とする。
【理　由】
１　本件商標　　　　　　　　　　　　　　　　　　　　　　　　　　　　　本件登録第３３７１３２６号商標（以下、「本件商標」という。）は、平成５年１２月２５日登録出願、商標の構成を後掲（イ）に示すものとし、指定商品を第９類「電気磁気測定器」として、平成１１年１０月１日に設定の登録がされたものである。
　
２　引用商標　　　　　　　　　　　　　　　　　　　　　　　　　　　　　請求人が本件商標の登録無効を述べる理由に引用する登録第１２４０４３５号商標（以下、「引用商標」という。）は、昭和４４年６月１０日登録出願、商標の構成を後掲（ロ）に示すとおり「テック」の片仮名文字とし、指定商品を第１１類「電気機械器具、電気通信機械器具、電子応用機械器具（医療機械器具に属するものを除く）電気材料」として、同５１年１２月１３日に設定の登録がされ、該登録に係る権利は、平成９年４月２５日に存続期間の更新登録がされているものである。
　
３　請求人の主張　　　　　　　　　　　　　　　　　　　　　　　　　　　請求人は、本件商標の登録はこれを無効とする、審判費用は被請求人の負担とする、との審決を求めると申し立て、その理由を次のように述べ、証拠方法として、甲第１号証ないし甲第４号証（枝番を含む。）を提出した。
（１）本件商標及びその登録に至る経緯
　本件商標は、その商標の構成、指定商品、出願日、登録日等については、前記１のとおりである。そして、その出願から登録に至る審査手続・審判手続（平成１０年査定不服審判第１４８６２号）（以下、「関連審判事件」という。）の経過については、本件審判において請求人が引用する登録第１２４０４３５号商標（引用商標）等との類否に関し紆余曲折を辿った経緯がある。
（２）請求の利益について
　本件商標は、請求人の先願登録に係る登録第１２４０４３５号商標（引用商標）と類似し、指定商品も同一又は類似するものであるから、その登録は違法なものであり、また、請求人が平成１１年２月３日に出願した「ＴＥＫ」なる商標（商願平１１−８０８８）につき、本件商標を引用して拒絶理由通知を受けているものでもあるから（甲第２号証）、請求人は、本件審判の請求につき利害関係を有するものである。
（３）無効理由について
（ア）本件商標は、請求人の先願登録に係る引用商標（甲第３号証）と類似し、指定商品も同一又は類似するものであるから、商標法第４条第１項第１１号に該当する。
（イ）引用商標の概要については、前記２のとおりである。
（ウ）本件商標と引用商標との類否について
　本件商標は、商標公報（甲第１号証）に見られるとおりの構成からなる。
その構成から、「つ」の字状の枠内に「ＴＥＣ」の文字が表されていることは、容易に認識することができ、これに相応する「テック」の称呼によって取引に当たられることになることは明らかなところである。
　被請求人は、本件商標の登録に至る関連審判事件の段階で、本件商標が『電力の頭文字の「Ｄ」と、「テック」の「Ｔ」「Ｅ」「Ｃ」を複合させて一体的にデザインしたものである。即ち、アルファベット文字「Ｅ」、「Ｃ」を囲む「Ｄ」の文字の中に「Ｔ」のアルファベット文字を内在させるようにデザイン化したものである。』と説明している（甲第４号証）。そして、そこでは、「Ｔ」の文字につき、『「Ｔ」を表しているという先入観を持たなければ、「Ｔ」と認識することは困難である。』とも述べている。
　しかしながら、被請求人も、元々「ＴＥＣ」と表わされているものであり、見た目にも容易に「ＴＥＣ」と見えるのであるから、「ＴＥＣ」ではないといわれることは、全く理由のない主張であるといわざるを得ない。また、「Ｔ」の先入観念に言及して述べる被請求人の主張は、本件商標を「株式会社電力テック」という「テック」を含む称号の被請求人が自ら使用することを考えれば、本件商標に接する取引者及び需要者はその商標の使用者との関係で、「つ」の字状の枠内の文字を「ＴＥＣ」と見るであろうことは、多くの説明を要しないころである。
　さらに、「つ」の字状の枠内の文字は「ＴＥＣ」を表したものであり、被請求人も含め、取引にあって、これを「ＴＥＣ」と見る者があるであろうことは、誰も否定できないことである。本件商標は、その構成中の「つ」の字状の枠内の文字を「ＴＥＣ」と認識し、これに相応する「テック」の称呼によって取引に当たることがあるものである。
　他方、引用商標は、その構成文字に相応し、「テック」の称呼を生ずるものである。
　したがって、本件商標と引用商標とは、「テック」の称呼を共通にするものであり、また、本件商標の指定商品は、引用商標の指定商品に含まれることは明白であるから、本件商標と引用商標は類似するものである。
（エ）むすび
　以上のとおり、本件商標は、商標法第４条第１項第１１号に違反して登録されたものであるから、同法第４６条第１項の規定によりその登録を無効とすべきである。
　
４　被請求人の答弁
　被請求人は、結論同旨の審決を求めると答弁し、その理由を次のように述べ、証拠方法として、乙第１号証（関連審判事件審決）を提出した。
（１）請求人は、本件商標と請求人が先に登録している引用商標「テック」とが類似し、指定商品も同一又は類似するものであるから、商標法第４条第１項第１１号に該当する無効理由を有するものであるとする。
　しかしながら、本件商標は高度に図案化された図形商標であって、全体として「テック」なる称呼が当然に生じると理解できるような標章ではなく、引用商標とは類似しておらず、商標法第４条第１項第１１号に該当するものではない。
（２）本件商標と引用商標との類否について
（ア）請求人は、本件商標の構成が「つ」の字状の枠内に「ＴＥＣ」の文字を表していることは容易に認識することができ、これに相応する「テック」の称呼によって取引に当たることは明らかである旨主張するが、本件商標の「ＴＥＣ」を囲む楕円様の形状をなす部分は、「Ｄ」とも「Ｔ」とも認識できない程に融合し異なった印象を与える図形としたものであって、「ＴＥＣ」と当然に看取されるものではない。
　即ち、「Ｔ」の文字の特徴は、ａ）鉛直方向の縦の直線と水平方向の横の直線から構成されていること、ｂ）縦線の上端に横の直線が接するように両線が直角を成すように配置されること、ｃ）縦線を中心に左右に延びる横線が同じ長さであること、ｄ）縦線の左右には囲まれていない開いた空間が形成されること、にある。したがって、描かれたものが「Ｔ」の文字であると容易に看取されるためには、この４条件の全てを満たすことが必要であり、これを全て満たしていなければ、ギリシャ文字のガンマ「Γ」や欧文記号のガンマ「ｒ」、あるいはギリシャ文字の「Ｙ」などと誤認してしまう。
　したがって、本件商標の「Ｅ」及び「Ｃ」なる文字を囲む斜線と楕円とから成る楕円様の形状部分は、「Ｔ」の文字の特徴である上述のａ）〜ｄ）の条件、中でもギリシャ文字や欧文記号のガンマ「ｒ」を示すものとの大きな差異となるｃ）の条件を欠くものであり、「Ｄ」とも「Ｔ」とも異なった印象を与えるものであり、「ＴＥＣ」の文字をデザイン化したものと容易に看取されるものではない。
（イ）請求人は、被請求人も元々「ＴＥＣ」を表されているものであり、見た目にも容易に「ＴＥＣ」と見えるのであるから「ＴＥＣ」でないということは全く理由がない旨述べているが、確かに、本件商標は、出願人の名称である「株式会社電力テック」から導いた「Ｄ」「Ｔ」「Ｅ」「Ｃ」の文字を１つのまとまりあるデザインとすることを意図して創作されたものである。しかしながら、その際に、「Ｄ」と「Ｔ」の文字を複合させて図形的にデザインし、その中に「ＥＣ」を囲むように配置したものであり、特に「ＴＥＣ」の文字を図案化したものでも「テック」の称呼が生ずるものでもない。したがって、「Ｔ」を表しているという先入観を持たなければ、「Ｔ」と認識することは困難である。
（ウ）請求人は、本件商標は被請求人称号「株式会社電力テック」との関係で、「テック」を含む称号の被請求人が使用されることを考えれば本件商標に接する取引者・需要者が「つ」の字状の枠内の文字を「ＴＥＣ」と見るのは容易であり、これに相応する「テック」の称呼によって取引に当たることがある旨述べているが、登録商標の使用に際してはその権利者の表示が義務づけられているわけでもなければ、必ず権利者が併記されるものでもないし、権利者と商標使用者とが必ず一致しているとも限らないし、ましてや取引者や需要者がいちいち登録商標と権利者との関係を確認してから商標を認識する訳ではない。むしろ、使用者との関係からして商標が判断されるとするのであれば、電力テックの「ＤＴＥＣ」と東芝テックの「テック」と識別でき、出所の混同などは考えられない。
（エ）むすび
　以上のとおり、本件商標は、関連審判事件審決において示されている通り、これに接する取引者、需要者は図案化された楕円様の形状部分を特定の文字とは理解しないというべきであって、全体として「テック」の称呼を生じる「ＴＥＣ」なる文字を認識することは有り得ない。
（３）結局、本件商標は「テック」なる特定の称呼が生じる引用商標と類似しないから、商標法第４条第１項第１１号に該当するものではなく、その登録を無効にされるべきものではない。
　
５　当審の判断
　本件商標と引用商標との類否について判断するに、本件商標は、後掲に示すとおり、輪郭細線または籠字風の表現手法を用いてあたかも欧文字の「Ｔ」及び「Ｄ」の各字形をそのステム（ｓｔｅｍ）・アーム（ａｒｍ）ないしローブ（ｌｏｂｅ）部分を一つに繋いで重ね合わせた如く右側に急角度で湾曲する半円状の外輪郭図を描き、同図内部空間にやや小さめの籠字風の欧文字「ＥＣ」を配してなるものである。
　しかして、前記「ＥＣ」の文字部分はさておき、前記半円状の外輪郭図は、直ちに特定の事物・事柄等を何ら想起し得るものでなく、たとえ、その形象上の着想が欧文字「Ｔ」、「Ｄ」の各文字にあったとしても、このように特異に表現された構成の全体からは、もはや、特定の文字の原型を離れて渾然一体と融合された一種幾何学的図形とみるのが自然であって、殊更、その形象の一部を捉えかつその内部の「ＥＣ」の文字とを結びつけ、これをたとえば「テック」の如く称呼するとみるのは不自然といわなければならない。そして、これに接する取引者、需要者は、むしろ、前記構成上の特徴ないしは全体より受ける外観、印象をもって取引に資するとみるのが相当である。
　そうすると、本件商標より「テック」の称呼を生ずるということはできないから、本件商標より「テック」の称呼を生ずるとし、その上で本件商標と引用商標との類似を述べる請求人の主張は妥当でなく、その理由をもって本件商標と引用商標とを類似のものとすることはできない。その他、両者を類似のものとすべき事由は見出せない。
　そのほか述べる請求人の主張は、前記認定に照らしいずれも妥当でなく、採用の限りでない。
　してみれば、本件商標は、商標法第４条第１項第１１号に該当するものでなく、その登録は、同法条の規定に違反してされたものとはいえないから、商標法第４６条第１項により、これを無効とすることはできない。
　よって、結論のとおり審決する。